(57)【要約】【課題】折れた芯の排出を容易にすることができることを特徴とする鉛筆削り具を提供する。【解決手段】鉛筆削り部１１と、鉛筆削り屑受け容器１２とを備え、上記鉛筆削り部１１は、鉛筆を挿入しうる挿入孔１３,１３が開設されると共に、上記鉛筆削り受け容器１２を閉止しうる蓋部１４と、この蓋部１４に固定され、上記容器内に収納される鉛筆削り部１１本体とを有し、上記蓋部１４には挿入孔１３,１３を開閉しうるシャッター部１５が設けられている鉛筆削り器において、上記蓋部１４には上記シャッター部１５を開閉しうる開閉ピン１７が設けられていることを特徴とする鉛筆削り器。【選択図】図１
2005132041.tif 000002
【特許請求の範囲】
【請求項１】
鉛筆削り部と、鉛筆削り屑受け容器とを備え、上記鉛筆削り部は、鉛筆を挿入しうる挿入孔が開設されると共に、上記鉛筆削り受け容器を閉止しうる蓋部と、この蓋部に固定され、上記容器内に収納される鉛筆削り部本体とを有し、上記蓋部には挿入孔を開閉しうるシャッター部が設けられている鉛筆削り器において、上記蓋部には上記シャッター部を開閉しうる開閉ピンが設けられていることを特徴とする鉛筆削り器。
【請求項２】
上記鉛筆削り部は、上記挿入孔に対応して上記蓋部平面と直交方向に配置された断面逆円錐状からなる鉛筆保持溝を有し、上記鉛筆保持溝には鉛筆切削用刃部が設けられている請求項１記載の鉛筆削り具。
【請求項３】
上記蓋部上面にはレール部が設けられ、上記レール部上面には上記シャッター部を形成するシャッター片がレールに沿って配置される請求項１〜２記載の鉛筆削り具。
【請求項４】
上記シャッター片には、上記レール部上を移動することにより上記シャッター部の開閉を可能とする開閉ピンが設けられている請求項３記載の鉛筆削り具。
【請求項５】
上記蓋部上面には、上記シャッター片を摺動可能に保持するキャップ部が設けられ、このキャップ部には、上記蓋部に対応する挿入孔が設けられ、上記開閉ピンが上方へ突出しうるガイド孔を有する請求項３〜４記載の鉛筆削り具。
【請求項６】
上記蓋部内面には、上記挿入孔を閉口状態に保持するように上記シャッター片を付勢しうる弾性体が設けられている請求項３〜５記載の鉛筆削り具。
【請求項７】
上記レール上に配置されるシャッター片は、上記レール上の両側部に配置されるシャッター片の内側縁に円錐半面を形成する凹部が形成され、中央部に配置されるシャッター片の両側縁には円錐半面を形成する凹部が形成され、上記挿入孔閉口時には、上記シャッター部が円錐状になるように形成される請求項３〜６記載の鉛筆削り具。
【請求項８】
上記鉛筆削り部に設けられた挿入孔が２個設けられていることを特徴とする請求項１〜７記載の鉛筆削り具。
【発明の詳細な説明】
【技術分野】
【０００１】
本発明は、鉛筆削り具に係り、特に、折れた芯の排出を容易にすることができる鉛筆削り具に関するものである。
【背景技術】
【０００２】
従来、事務作業もしくは家庭などにおいて鉛筆を削る際に、鉛筆削り屑の散らばりを抑えるべく、蓋部にシャッター部が設けられた鉛筆削り具が用いられている（特許文献１）。このシャッター部が取り付けられた鉛筆削り具においては、鉛筆削り具の使用中や保管の際に鉛筆削り屑の散乱を抑えられる。
【０００３】
ところで、鉛筆削り具の使用中においては、鉛筆の芯が折れる場合が多々あり、この場合使用者は通常鉛筆挿入孔１３,１３より折れた芯の取り出しを試みるが、シャッター部付き鉛筆削り具においては、鉛筆挿入孔１３,１３より鉛筆を取り出すと、シャッター部１５は閉口されてしまうため、使用者は芯の排出ができず、その後の使用に際し著しく不具合が生じることとなる。
また、そのような場合際使用者はやむなく鉛筆削り部１１を鉛筆削り屑受け容器１２より取り出して鉛筆の折れた芯の排出を試みるが、鉛筆削り屑が散乱してしまうため、使用に際し不便なものとなる。
【０００４】
【特許文献１】実開平０５−０８６５９６号公報
【発明の開示】
【発明が解決しようとする課題】
【０００５】
本発明が解決しようとする課題は、シャッター付き鉛筆削り具１０において、鉛筆削り部１１内に詰まった折れた鉛筆の芯の排出を容易にする点にある。
【課題を解決するための手段】
【０００６】
請求項１に記載の発明は、鉛筆削り部１１と、鉛筆削り屑受け容器１２とを備え、上記鉛筆削り部１１は、鉛筆を挿入しうる挿入孔１３,１３が開設されると共に、上記鉛筆削り受け容器１２を閉止しうる蓋部１４と、この蓋部１４に固定され、上記容器内に収納される鉛筆削り部１１本体とを有し、上記蓋部１４には挿入孔１３,１３を開閉しうるシャッター部１５が設けられている鉛筆削り器において、上記蓋部１４には上記シャッター部１５を開閉しうる開閉ピン１７を設けたものである。
したがって、請求項１記載の発明にあっては、シャッター部１５を開閉しうる開閉ピン１７により、シャッター部１５は開口可能とし、鉛筆を挿入しうる挿入穴を開口することにより、折れた鉛筆の芯の排出を可能とする。
【０００７】
請求項２記載の発明は、請求項１にかかる発明において、上記挿入孔１３,１３に対応して上記蓋部１４平面と直交方向に配置された断面逆円錐状からなる鉛筆保持溝１８を有し、上記鉛筆保持溝１８には鉛筆切削用刃部１９を設けたものである。
従って、請求項２記載の発明にあっては、鉛筆保持溝１８に挿入した鉛筆を回転することにより、鉛筆切削用刃部１９に密着した鉛筆の外巻が切削される。
【０００８】
請求項３に記載の発明は、請求項１又は２にかかる発明において、上記蓋部１４上面にはレール部２０が設けられ、上記レール部２０上面には上記シャッター部１５を形成するシャッター片１６がレールに沿って配置されたものである。
従って、請求項３記載の発明にあっては、上記蓋部１４上面に設けられたレール部２０により、シャッター片１６が案内されるため、シャッター片１６はレール部２０に沿った移動を可能とすることができる。
【０００９】
請求項４に記載の発明は、請求項３にかかる発明であって、上記シャッター片１６には、上記レール部２０上を移動することにより上記シャッター部１５の開閉を可能とする開閉ピン１７を設けたものである。
従って、請求項４記載の発明にあっては、開閉ピン１７の移動に際しては、レール部２０の案内により、レール部２０の設けられた一直線上のみの移動を可能とすることができる。また、この開閉ピン１７を操作することにより、シャッター部１５の開閉を行うことができる。
【００１０】
請求項５に記載の発明は、請求項３又は４にかかる発明において、上記蓋部１４上面には、上記シャッター片１６を摺動可能に保持するキャップ部２１が設けられ、このキャップ部２１には、上記蓋部１４に対応する挿入孔１３,１３が設けられ、上記開閉ピン１７が上方へ突出しうるガイド孔２２を有するものである。
【００１１】
請求項６に記載の発明は、請求項３ないし５にかかる発明において、上記蓋部１４内面には、上記挿入孔１３,１３を閉口状態に保持するように上記シャッター片１６を付勢しうる弾性体２３を設けたものである。
また、上記２３は一対のコイルスプリングであってもよい。
したがって、請求項６記載の発明は上記蓋部１４内面に設けられた弾性体２３の付勢力により、シャッター片１６は閉口状態に保持され、鉛筆削り具１０の未使用時にはシャッター部１５が閉口状態となるため、たとえ鉛筆削り容器を倒した場合であっても、容器内部に溜まっている鉛筆削り屑の散乱を防止することができる。
【００１２】
請求項７に記載の発明は、請求項３ないし６にかかる発明において、上記レール上に配置されるシャッター片１６は、上記レール上の両側部に配置されるシャッター片１６の内側縁に円錐半面を形成する凹部が形成され、中央部に配置されるシャッター片１６の両側縁には円錐半面を形成する凹部が形成され、上記挿入孔１３,１３閉口時には、上記シャッター部１５が円錐状になるように形成されたものである。
従って、請求項７記載の発明にあっては、挿入孔１３,１３を閉口状態に保持するシャッター部１５が円錐状に形成されているため、鉛筆挿入孔１３,１３より鉛筆を挿入した場合、鉛筆頂点部は上記シャッター部１５を形成する円錐部頂点に斜めに当接することにより、シャッター部１５を開口することができる。
【００１３】
請求項８に記載の発明は、請求項１ないし６にかかる発明において、上記鉛筆削り部１１に設けられた挿入孔１３,１３が２個設けられたものである。
従って、請求項8記載の発明にあっては、鉛筆挿入孔１３,１３が2個設けられていることから、それぞれ径の違う挿入孔１３,１３部を設けることにより、径の異なる鉛筆を挿入し、鉛筆の切削を行うことができる。
【発明の効果】
【００１４】
本発明は、以上のように構成されているので、以下に記載されるような効果を奏する。
すなわち請求項１記載の発明によれば、シャッター部１５には蓋部１４を開閉しうる開閉ピン１７が設けられているので、シャッター部１５を開口することができ、鉛筆挿入孔１３,１３を通じて鉛筆削り部１１内に詰まった鉛筆の折れた芯の排出を行うことができる。
【００１５】
請求項２記載の発明によれば、請求項１に記載の発明の効果に加え、鉛筆切削用刃部１９が設けられた鉛筆保持溝１８により、鉛筆の芯を切削できると共に、折れた鉛筆の芯の排出を容易なものとすることができる。
【００１６】
請求項３記載の発明によれば、請求項１又は２に記載の発明の効果に加え、蓋部１４上面に設けられたレール部２０の案内により、シャッター片１６から構成されるシャッター部１５の開閉に際し、シャッター片１６はレール部２０上のみを移動するため、シャッター部１５のブレが少なく安定動作を行うことができる。
【００１７】
請求項４記載の発明によれば、請求項３に記載の発明の効果に加え、シャッター片１６は上記レール部２０の案内により、開閉ピン１７はレール部２０上のみを移動するため、開閉ピン１７のブレが少なく安定動作を行うことができる。
【００１８】
請求項５記載の発明によれば、請求項３又は４記載の発明の効果に加え、上記シャッター片１６を摺動可能に保持するキャップ部２１が設けられているため、上記シャッター片１６を蓋部１４上部への飛び出しを防ぐとともに、上記蓋部１４に対応した挿入孔１３,１３および、開閉ピン１７が上方へ突出しうるガイド孔２２があることから、キャップ部２１を装着したままで鉛筆の切削および、開閉ピン１７の移動を行うことができる。
【００１９】
請求項６記載の発明によれば、請求項３ないし５記載の発明の効果に加え、上記蓋部１４内面には上記挿入孔１３,１３を閉口状態に保持するように、上記シャッター片１６を付勢しうる弾性体２３が設けられていることから、その弾性体２３の付勢力により、鉛筆の切削未使用時にはシャッター部１５が閉じるため、鉛筆削り屑受け容器１２を倒した場合であっても、鉛筆挿入孔１３,１３からの鉛筆削り屑の流出を抑えることができる。
【００２０】
請求項７記載の発明によれば、請求項３ないし６に記載の発明の効果に加え、シャッター部１５を形成するそれぞれのシャッター片１６の側縁が円錐半面を形成し、シャッター部１５が円錐の凹状になるように形成されていることから、鉛筆挿入時にはその挿入の押圧作用により、シャッター部１５を開口させ、鉛筆の挿入を行うことができる。
【００２１】
請求項８に記載の発明は、請求項１ないし６にかかる発明において、上記鉛筆削り部１１に設けられた挿入孔１３,１３が２個設けられたものである。
従って、請求項8記載の発明にあっては、鉛筆挿入孔１３,１３が2個設けられていることから、それぞれ径の違う挿入孔１３,１３部を設けることにより、径の異なる鉛筆を挿入し、鉛筆の切削を行うことができる。
【発明を実施するための最良の形態】
【００２２】
以下、添付図面に示す実施の形態に基づき、本発明にかかる鉛筆削り具１０を詳細に説明する。
【００２３】
本実施の形態にかかる鉛筆削り具１０は、図１に示すように、鉛筆削り部１１と、鉛筆削り屑受け容器１２とを備え、上記鉛筆削り部１１は、鉛筆を挿入しうる挿入孔１３,１３が開設されると共に、上記鉛筆削り受け容器を閉止しうる蓋部１４と、この蓋部１４に固定され、上記容器内に収納される鉛筆削り部１１本体とを有し、上記蓋部１４には挿入孔１３,１３を開閉しうるシャッター部１５が設けられている鉛筆削り器において、上記蓋部１４には上記シャッター部１５を開閉しうる開閉ピン１７が設けられている。
【００２４】
図１に示すように、鉛筆削り具１０は、所定の厚さ寸法を有し、断面楕円形の筒状体からなる底部を有する鉛筆削り受け容器１２と、その鉛筆削り受け容器１２内には、断面逆円錐状からなる鉛筆保持溝１８が設けられた鉛筆削り部１１が備えられる。
【００２５】
上記鉛筆削り部１１は、断面逆円錐状からなる鉛筆保持溝１８を有し、上記鉛筆保持溝１８には鉛筆切削用刃部１９が設けられる。上記鉛筆切削用刃部１９は、硬質の金属により作成されている。また、図１に示すように、上記鉛筆削り部１１及び鉛筆削り屑受け容器１２は硬質の合成樹脂の型成型により作成されている。
上記鉛筆削り部１１は、長短２つの鉛筆削り部１１ａ,１１ｂを有し、それぞれ異なる長さを有する鉛筆芯の切削が可能となる。すなわち鉛筆削り部（長芯部）１１ａは、鉛筆保持溝（長芯部）１８ａと鉛筆切削用刃部（長芯部）１９ａとを設け、鉛筆削り部（短芯部）１１ｂは、鉛筆保持溝（短芯部）１８ｂと鉛筆切削用刃部（短芯部）１８ｂとを有する。
また、上記鉛筆削り部１１ａ,１１ｂはそれぞれ並列して一体として結合され、蓋部１４に設けられた、挿入穴１３に対応するように蓋部１４上の長さ方向に対し所定の間隔をおいて配置されるとともに、蓋部１４平面に対し下方に向けて取り付けられ、鉛筆削り屑受け容器１２内に配置される。
【００２６】
図１に示すように、上記鉛筆削り部１１上面には、上記鉛筆削り受け容器を閉止しうる蓋部１４が形成され、この蓋部１４上面には蓋部１４上面に突出して延設される凸状のレール部２０が、蓋部１４を形成する楕円形の長さ方向に対し延設されている。
【００２７】
上記シャッター部１５は、上記レール部２０上に沿って配置される３組のシャッター片１６a, １６ｂ, １６ｃからなり、中央に配置されるシャッター片１６ｂにおいては、幅方向両端縁において円錐半面状に凹部２９,２９が形成され、両端に配置されるシャッター片１６ａ,１６ｃにおいては、その内側縁に円錐半面を形成する凹部２８,２８が形成される。
円錐半面凹部２８,２８,２９,２９とにより、円錐状凹部が形成され、、鉛筆の先端部を鉛筆削り部１１に挿入する際のガイド部を形成する。
【００２８】
上記開閉ピン１７は、上記シャッター部１５を形成する中央のシャッター片１６において、鉛直方向に突設される。
上記シャッター片１６及び開閉ピン１７は合成樹脂の型成型により作成されている。
上記蓋内部に設けられた弾性体２３は、コイルスプリングからなり、蓋部１４内側壁とシャッター片１６との間に配置されることにより、シャッター片１６ａ,１６ｃを中央部１６ｂに対し押圧し、シャッター部１５を閉口状態に保持する。
【００２９】
図２に示すように、上記シャッター部１５を形成する両側端のシャッター片１６ａ,１６ｃは、上記レール部２０の長さ方向に対し鉛直方向面の両側縁においてシャッター片保持爪２４ａ,２４ａ,２４ａ,２４ａを有し、また、上記蓋部１４においても上記シャッター片保持爪２４ａに対応するシャッター片保持爪２４ｂ,２４ｂ,２４ｂ,２４ｂが上記蓋部平面上方に突設され、両シャッター片１６が相互に係合することにより、弾性体２３の押圧作用によっても、一定以上シャッター片１６を蓋部１４内方へ移動させることがないように構成されている。
【００３０】
上記蓋部１４上面には、上記シャッター片１６を摺動可能に保持するキャップ部２１が設けられ、このキャップ部２１には、上記蓋部１４に対応する挿入孔１３,１３が設けられ、上記開閉ピン１７が上方へ突出しうるガイド孔２２を有する。
上記キャップ部２１は、上記蓋部１４と同一形状の楕円形からなり、その端部においては、キャップ固定爪２６,２６を有し、上記蓋部１４の側面に設けられた、キャップ固定孔２７,２７に対し係合することにより、上記キャップ部２１は蓋部１４に対し固定される。
上記鉛筆削り部１１に備えられた挿入孔１３,１３は２個からなり、上記挿入孔１３,１３の径を互いに異なる径にすることにより、それぞれ異なる径を持つ鉛筆軸の切削を行うことができる。
【００３１】
以下、本件鉛筆削り具１０の作用について記述する。
図１に示すように、鉛筆の非挿入時においては、シャッター片１６により形成されるシャッター部１５の挿入孔１３,１３は閉口されている。すなわち、蓋部１４内に設けられたコイルスプリングの付勢力により、シャッター片１６が挿入孔１３,１３中央に付勢され、挿入孔１３,１３が閉口される。
【００３２】
この状態において、切削しようとする鉛筆を挿入孔１３,１３に挿入する。この時、鉛筆の先端部が挿入孔１３,１３に設けられた凹状逆円錐形状のシャッター部１５の円錐を形成するシャッター片１６の頂点に当接し、その鉛筆の押圧作用によりシャッター片１６ａ,１６ｃが両端に押し広げられ、シャッター部１５が開口される。
【００３３】
鉛筆の挿入を推し進めると、鉛筆先端を形成する側壁が鉛筆削り部１１に設けられた鉛筆保持溝１８ａ,１８ｂに当接する。この時、鉛筆を鉛筆削りに対して相対的に回転させることにより、鉛筆の切削を行うことができる。
【００３４】
上記鉛筆切削作業終了時に鉛筆を挿入孔１３,１３より引き抜くと、上記シャッター片１６は上記蓋部１４内に設けられたコイルスプリングの付勢力により、シャッター片１６が挿入孔１３,１３中央に付勢され再び挿入孔１３,１３が閉口される。
【００３５】
従って、鉛筆の非挿入時においては、蓋部１４内に設けられたコイルスプリングの付勢力により、シャッター片１６が挿入孔１３,１３中央に付勢されるため、シャッター片１６により形成されるシャッター部１５の挿入孔１３,１３は閉口されている。
この際、鉛筆の切削時において生じた鉛筆保持溝１８に詰まった鉛筆芯を取り除くべく、シャッター片１６に設けられた開閉ピン１７を楕円形状から成る蓋部１４の長さ方向に移動することにより、鉛筆非挿入時においてもシャッター片１６を強制的に開口状態に移動させ、シャッター部１５の開口を行うことができることから、鉛筆挿入孔１３,１３より詰まった鉛筆芯の排除作業を行うことができる。
【００３６】
またこの時、シャッター部１５を形成するシャッター片１６は、上記蓋部１４の長さ方向に形成されたレール上に配置されており、鉛筆の挿入、引き抜き作業に伴う移動に際してはレール上のみの移動が可能となる。
従って、シャッター片１６の移動については、レールの一直線上のみとなるため、常に一定の動作が保障される。
【００３７】
またこの時、上記シャッター部１５を形成する両側端のシャッター片１６には、上記レール部２０の長さ方向に対し鉛直方向面の両側縁においてシャッター片１６保持爪（シャッター部１５）を有し、また、上記蓋部１４においても上記シャッター片１６保持爪に対応するシャッター片１６保持爪（蓋部１４）が上記蓋部１４平面に対し鉛直方向に配置され、両シャッター片１６が相互に係合することにより、弾性体２３の押圧作用によっても、一定以上シャッター片１６を移動させることがない。
従って、上記開閉ピン１７を移動することによりシャッター部１５の開口を強制的に行った場合であっても、上記シャッター部１５を形成する両側端のシャッター片１６は、内側方向に移動しない。
よって、上記開閉ピン１７の移動によっては、シャッター部１５を形成するシャッター片１６のうち開閉ピン１７の設けられている中央部のシャッター片１６、及び開口しようとするシャッター部１５の他方シャッター部１５を形成するシャッター片１６を移動し、シャッター部１５の開口を行うことができる。
【産業上の利用可能性】
【００３８】
本件発明はシャッター付き鉛筆削り具に適用できるものである。
【図面の簡単な説明】
【００３９】
【図１】図１は本発明に係る鉛筆削り具の一実施例の形態に係る鉛筆削り具１０の斜視図である。
【図２】図２は蓋部１４の平面図である。
【符号の説明】
【００４０】
１０    鉛筆削り具
１１    鉛筆削り部
１１ａ  鉛筆削り部（長芯部）
１１ｂ  鉛筆削り部（短芯部）
１２    鉛筆削り屑受け容器
１３    挿入孔
１４    蓋部
１５    シャッター部
１６ａ  シャッター片
１６ｂ  シャッター片
１６ｃ  シャッター片
１７    開閉ピン
１８ａ  鉛筆保持溝（長芯部）
１８ｂ  鉛筆保持溝（短芯部）
１９ａ  鉛筆切削用刃部（長芯部）
１９ｂ  鉛筆切削用刃部（短芯部）
２０    レール部
２１    キャップ部
２２    ガイド孔
２３    弾性体
２４ａ  シャッター片保持爪（シャッター部）
２４ｂ  シャッター片保持爪（蓋部）
２５    刃部取り付けネジ
２６    キャップ取り付け爪
２７    キャップ取り付け孔
２８    円錐半面状凹部
２９    円錐半面状凹部
【図１】
2005132041.tif 000003
【図２】
2005132041.tif 000004